(57)【要約】【課題】  色対比現象の発生を低減する表示態様により色調整を行うことのできるプロジェクタ等の画像表示装置を提供する。【解決手段】  画像信号を受けて画像を表示するプロジェクタは、表示面を第１領域と第２領域とに分割する境界位置を決定するメインマイコン７０及び切り替え制御部５６が、画素の位置に応じて出力セレクタ５５の出力を切り替えることにより、第１領域に表示されるべき画像の画素信号を色変換ＬＵＴ５２により変換して出力し、第２領域に表示されるべき画像の画素信号をそのまま出力する。【選択図】          図７
2005045769.tif 000002
【特許請求の範囲】
【請求項１】
画像信号を受信して画像を表示する画像表示装置であって、
表示面を第１領域と第２領域とに分割する境界位置を決定する決定手段と、
前記境界位置に基づいて前記第１領域に表示されるべき画像にかかる画像信号を特定し、当該画像信号における色属性を変換し、変換後の画像信号に基づいて前記第１領域に画像を表示する第１表示手段と、
前記境界位置に基づいて前記第２領域に表示されるべき画像にかかる画像信号を特定し、当該画像信号に基づいて、もしくは当該画像信号における色属性を変換して変換後の画像信号に基づいて、前記第１領域に画像を表示する第２表示手段と
を備えることを特徴とする画像表示装置。
【請求項２】
前記画像信号は、表示面を構成する複数の画素信号からなり、
前記第1表示手段は、画素信号の取り得る複数の値それぞれについて、同値又は他値を対応付けた色変換テーブルを記憶するテーブル記憶手段を備え、
当該色変換テーブルに従って、第1領域に表示されるべき画像にかかる画素信号の値を対応する値に変換する
ことを特徴とする請求項１に記載の画像表示装置。
【請求項３】
前記決定手段は、前記表示面を垂直又は水平に分割する境界位置にかかる画素位置を記憶しており、
前記第１表示手段は、記憶されている前記画素位置を参照して、画素信号の受信のタイミングをカウントすることにより第１領域に表示されるべき画像にかかる画素信号を特定し、
前記第２表示手段は、記憶されている前記画素位置を参照して、画素信号の受信のタイミングをカウントすることにより第２領域に表示されるべき画像にかかる画素信号を特定する
ことを特徴とする請求項２に記載の画像表示装置。
【請求項４】
前記決定手段は、
ユーザ入力に基づいて境界位置を決定し、決定された境界位置にかかる画素位置を記憶する
ことを特徴とする請求項３に記載の画像表示装置。
【請求項５】
前記決定手段は、表示面上の位置を示す情報のユーザ入力を受けて、当該情報が示す位置が前記第１領域に含まれるように境界位置を決定する
ことを特徴とする請求項４に記載の画像表示装置。
【請求項６】
前記決定手段は、表示面上の位置を示す情報のユーザ入力を受けて、当該情報が示す位置を境界位置と決定する
ことを特徴とする請求項４に記載の画像表示装置。
【請求項７】
前記決定手段は、表示面上の位置を示す情報のユーザ入力を受けて、当該情報が示す位置にかかる画素位置から所定の画素数だけ離れた位置を境界位置と決定する
ことを特徴とする請求項４に記載の画像表示装置。
【請求項８】
前記画像表示装置は、さらに、
前記色変換テーブルの内容を変更する指示を示すユーザ入力に基づいて前記色変換テーブルの内容を変更する変更手段
を備えることを特徴とする請求項２に記載の画像表示装置。
【請求項９】
前記変更手段は、ユーザ入力に基づいて変換対象の画素信号の値と変換後の画素信号の値を特定し、特定された２つの画素信号の値でもって前記色変換テーブルの内容を更新する
ことを特徴とする請求項８に記載の画像表示装置。
【請求項１０】
前記変更手段は、表示面上の位置を示す情報のユーザ入力を受けて、当該情報が示す位置の画素信号の値を、前記変換対象の画素信号の値と特定する
ことを特徴とする請求項９に記載の画像表示装置。
【請求項１１】
画像信号を受信して画像を表示する画像表示方法であって、
表示面を第１領域と第２領域とに分割する境界位置を決定する決定ステップと、
前記境界位置に基づいて前記第１領域に表示されるべき画像にかかる画像信号を特定し、当該画像信号における色属性を変換し、変換後の画像信号に基づいて前記第１領域に画像を表示する第１表示ステップと、
前記境界位置に基づいて前記第２領域に表示されるべき画像にかかる画像信号を特定し、当該画像信号に基づいて、もしくは当該画像信号における色属性を変換して変換後の画像信号に基づいて、前記第２領域に画像を表示する第２表示ステップと
を備えることを特徴とする画像表示方法。
【発明の詳細な説明】
【技術分野】
【０００１】
本発明は、プロジェクタ、DVDプレーヤー、パソコン等によってスクリーン又はディスプレイ等の表示媒体に表示される画像を色調整する際の表示態様に関する。
【背景技術】
【０００２】
スクリーンやディスプレイ等の表示媒体に画像を表示する装置は、通常、ユーザの指示に応じて色を調整する色調整機能を備えている。
特に、各種カラー方式で入力される映像信号を、様々な種類のスクリーンに拡大投影するプロジェクタは、カラー方式やスクリーンの組み合わせによって表示色に変化を生じやすいので、色調整機能が必須である。
【０００３】
従来の色調整機能としては、特許文献１のものがある。
特許文献１の画像補正装置は、１つの表示画面に参照用ウィンドウと作業用ウィンドウを左右に並べて配置し、両方のウィンドウに同じ画像をウィンドウのサイズに合わせて縮小して表示する。ユーザは、参照用ウィンドウの画像をオリジナルの画像として参照しながら、作業用ウィンドウの画像の色をマウス操作で調整することができる。
【特許文献１】特開２００２−２６２２１８号公報
【発明の開示】
【発明が解決しようとする課題】
【０００４】
しかしながら特許文献１の表示態様では、色の対比現象が生じやすく、色調整が難しいという問題があった。
ここで対比現象とは、ある色が他の色に影響されて、実際の色とは違って見える現象で、人間の目の錯覚によって起こるものである。
対比現象にはいくつかのタイプがあるが、特許文献１の表示態様の場合は、特に、継続対比と面積対比を起し易い。
【０００５】
継続対比とは、ある色を見た後で他の色を見ると、最初に見た色の補色が残像として目に映る現象である。例えば、白を見たあとには黒の残像が、赤を見たあとには緑の残像が映る。
特許文献１の表示態様の場合、参照用ウィンドウの画像をしばらく眺めてから、作業用ウィンドウの画像を見ると、継続対比によって、作業用ウィンドウの画像の上に参照用ウィンドウの残像が重なって見え、本来の色を認識することが難しくなる。また、参照用ウィンドウの残像と作業用ウィンドウの画像は、サイズや画像内の輪郭、形状等がぴったり一致して重なるので、２つのウィンドウを交互に見ることにより、残像が濃くなって行き、色調整が一層難しくなる。
【０００６】
面積対比とは、面積が大きくなるにつれて、その色の持つ特徴が強まって見える現象であり、例えば暗い色はより重く、明るい色はより軽く見える。
特許文献１の表示態様の場合、装置は、表示画面全体に表示するための画像を、
ウィンドウのサイズに合わせて縮小するので、画像の色の特徴が弱まって見え、これにより色を正しく認識することができなくなる。
【０００７】
そこで本発明は、色対比現象の発生を抑えた表示態様により色調整を行うことができる画像表示装置を提供することを目的とする。
【課題を解決するための手段】
【０００８】
そしてその目的を達成する画像表示装置は、画像信号を受信して画像を表示する画像表示装置であって、表示面を第１領域と第２領域とに分割する境界位置を決定する決定手段と、前記境界位置に基づいて前記第１領域に表示されるべき画像にかかる画像信号を特定し、当該画像信号における色属性を変換し、変換後の画像信号に基づいて前記第１領域に画像を表示する第１表示手段と、前記境界位置に基づいて前記第２領域に表示されるべき画像にかかる画像信号を特定し、当該画像信号に基づいて、もしくは当該画像信号における色属性を変換して変換後の画像信号に基づいて、前記第１領域に画像を表示する第２表示手段とを備える。
【０００９】
この構成において画像表示装置は、例えば、スクリーンに画像を投影するプロジェクタにより実現される。
そして、決定手段は、スクリーンに投影された表示面を第１領域と第２領域に分割する境界位置の座標を決定するメインマイコン７０の処理に相当する。
また、第１表示手段は、図７に示すように、切り替え制御部５６が、メインマイコン７０から境界位置の座標を受けて、その座標に基づいて第１領域に表示されるべき画像信号が出力セレクタ５５に入力されるタイミングを特定し、そのタイミングを示す切替信号を出力セレクタ５５に出力し、出力セレクタ５５が、切替信号が示すタイミングに従って、色変換ＬＵＴ５２により色変換された画像信号を出力する、という一連の処理に相当する。
【００１０】
さらに、第２表示手段は、図７に示すように、切り替え制御部５６が、メインマイコン７０からの境界位置の座標を受けて、その座標に基づいて第２領域に表示されるべき画像信号が出力セレクタ５５に入力されるタイミングを特定し、そのタイミングを示す切替信号を出力セレクタ５５に出力し、出力セレクタ５５が、切替信号が示すタイミングに従って画像信号をそのまま色変換せずに出力する、という一連の処理に相当する。
【００１１】
もしくは、第２表示手段は、図１３に示すように、切り替え制御部５６が、メインマイコン７０からの境界位置の座標を受けて、その座標に基づいて第２領域に表示されるべき画像信号が出力セレクタ５５に入力されるタイミングを特定し、そのタイミングを示す切替信号を出力セレクタ５５に出力し、出力セレクタが、その切替信号が示すタイミングに従って、色変換ＬＵＴ５１により色変換された画像信号を出力する、という一連の処理に相当する。
【００１２】
この構成によれば画像表示装置は、表示された１つの画像を２つの領域に分割して、一方を元のまま表示し、他方をユーザに指定される色に従って色変換して表示する。あるいは、２つの領域をそれぞれ色変換して表示する。
【発明の効果】
【００１３】
このような表示態様であれば、従来の２つの同じ画像を並べて表示する表示態様と比べて、色対比現象の発生を抑えることができ、ユーザは適確に色を認識して調整することができるという効果がある。
また、前記画像信号は、表示面を構成する複数の画素信号からなり、前記第1表示手段は、画素信号の取り得る複数の値それぞれについて、同値又は他値を対応付けた色変換テーブルを記憶するテーブル記憶手段を備え、当該色変換テーブルに従って、第1領域に表示されるべき画像にかかる画素信号の値を対応する値に変換するよう構成してもよい。
【００１４】
この構成においてテーブル記憶手段は、画素信号の取り得る複数の値それぞれをアドレスと一対一で対応させ、各アドレスに画素信号を記録している色変換ＬＵＴ５２に相当する。そして第１表示手段は、第１領域に表示されるべき画像にかかる各画素信号を色変換ＬＵＴ５２に入力し、その画素信号のアドレスに記録されている画素信号を変換後の画素信号として得る。
【００１５】
この構成によれば、画像表示装置は、色変換テーブルとして、変換前の色と変換後の色とを対応付けて記憶するルックアップテーブルを用いて簡単に色変換の機構を実現することができる。
また、前記決定手段は、前記表示面を垂直又は水平に分割する境界位置にかかる画素位置を記憶しており、前記第１表示手段は、記憶されている前記画素位置を参照して、画素信号の受信のタイミングをカウントすることにより第１領域に表示されるべき画像にかかる画素信号を特定し、前記第２表示手段は、記憶されている前記画素位置を参照して、画素信号の受信のタイミングをカウントすることにより第２領域に表示されるべき画像にかかる画素信号を特定するよう構成してもよい。
【００１６】
この構成において、前記決定手段が、前記表示面を垂直又は水平に分割する境界位置にかかる画素位置を記憶する機能は、メインマイコン７０から入力される境界位置の座標値を保持するラッチ（切り替え制御部５６内）に相当する。
また、前記第１表示手段が、記憶されている前記画素位置を参照して、画素信号の受信のタイミングをカウントすることにより第１領域に表示されるべき画像にかかる画素信号を特定する機能は、水平同期信号又は垂直同期信号の入力時にリセットし、入力される画素をカウントし、リセット時とラッチに保持される値と同値になった時に切替信号を出力するカウンタ（切り替え制御部５６内）と、切替信号に応じて入力される画素信号と色変換後の画素信号とを切り替えて出力するセレクタ５５の機能に相当する。
【００１７】
この構成によれば、境界位置の座標値を記憶するラッチと、画素信号の入力クロックをカウントするカウンタとを用いた簡単な構成により、表示面を２つの領域に分割して各領域の信号を特定する構成を実現することができる。
また、前記決定手段は、ユーザ入力に基づいて境界位置を決定し、決定された境界位置にかかる画素位置を記憶するよう構成してもよい。
【００１８】
この構成は、メインマイコン７０が、ユーザのマウス１３０又はリモコン１４０の操作をユーザ入力として受け付けて、そのユーザ入力が示す座標位置等に基づいて境界位置を決定する機能に相当する。
この構成によれば、ユーザがマウス、リモコン等の入力装置を用いて、境界位置を指定することができる。
【００１９】
また、前記決定手段は、表示面上の位置を示す情報のユーザ入力を受けて、当該情報が示す位置が前記第１領域に含まれるように境界位置を決定するよう構成してもよい。
この構成は、メインマイコン７０が、マウス１３０又はリモコン１４０による表示面上の座標位置の入力を受けて、その近傍の座標を境界位置と決定し、入力された座標位置を含む領域を第１領域、他の領域を第２領域として色変換回路４０を制御する処理に相当する。
【００２０】
この構成によれば、ユーザにより指定された位置が、色変換される第1領域に含まれるので、ユーザは、色変換させたい箇所をマウス操作で指定することができる。
前記決定手段は、表示面上の位置を示す情報のユーザ入力を受けて、当該情報が示す位置を境界位置と決定するよう構成してもよい。
この構成は、メインマイコン７０が、マウス１３０又はリモコン１４０による表示面上の座標位置の入力を受けて、その座標位置そのものを境界位置と決定する処理に相当する。
【００２１】
この構成によれば、ユーザがマウス操作等により表示面上の位置を指して、その位置を境界位置とすることができる。
また、前記決定手段は、表示面上の位置を示す情報のユーザ入力を受けて、当該情報が示す位置にかかる画素位置から所定の画素数だけ離れた位置を境界位置と決定するよう構成してもよい。
【００２２】
この構成は、メインマイコン７０が、マウス１３０又はリモコン１４０による表示面上の座標位置の入力を受けて、例えば、その座標位置のｘ座標を左に５０画素移動させた位置を境界位置と決定する処理に相当する。
この構成によれば、マウス操作等により指定される位置と境界位置との距離を所定の距離に定めることができる。
【００２３】
また、前記画像表示装置は、さらに、前記色変換テーブルの内容を変更する指示を示すユーザ入力に基づいて前記色変換テーブルの内容を変更する変更手段を備えてもよい。
また、前記変更手段は、ユーザ入力に基づいて変換対象の画素信号の値と変換後の画素信号の値を特定し、特定された２つの画素信号の値でもって前記色変換テーブルの内容を更新するよう構成してもよい。
【００２４】
この構成は、メインマイコン７０が、調整色パレット３の色の値と、図９又は図１０の色調整用画面を通じてユーザ入力される目標色パレット５の色の値とを取得し、色変換ＬＵＴ５２における調整色パレット３の色の値に対応するアドレスの部分に、目標色パレット５の色の値を書き込む処理に相当する。
この構成によれば、色変換テーブルの内容をユーザが指示して変更することができる。
【００２５】
さらに、前記変更手段は、表示面上の位置を示す情報のユーザ入力を受けて、当該情報が示す位置の画素信号の値を、前記変換対象の画素信号の値と特定してもよい。
この構成は、取り込み位置制御部５８が、ユーザ入力を受けたメインマイコン７０により指定される座標位置にある色信号の値を、色変換回路４０に入力される信号のうちから取得して、メインマイコン７０に返し、メインマイコン７０が、取り込み位置制御部５８から返される色信号の値を、変更対象の色と決定する一連の処理に相当する。
【００２６】
この構成によれば、ユーザは、マウス操作等により、表示された画像上で画素を選ぶことにより、変更対象の色を指定することができる。
【発明を実施するための最良の形態】
【００２７】
以下、本発明の実施形態について説明する。
＜概要＞
図１は、本発明の一実施形態であるプロジェクタの利用形態を示す図である。
同図おいてプロジェクタ１００は、入力端子に接続されたパソコン１５０からの映像信号を内部で信号処理し、液晶パネルに展開してスクリーン１６０に拡大表示する。表示中にユーザのマウス１３０の操作により色調整を行うことが指示されると、プロジェクタ１００は、スクリーン１６０に表示された画像を左右２つの領域に分割し、一方の領域を元の色のままで表示し、他方の領域をユーザに指示される色に応じて色変換して表示する。
【００２８】
図２に色調整の際の表示態様の一例を示す。
画像が表示されている最中にユーザがマウス１３０を動かすと、図２（ａ）に示すように、画像上にカーソルが表示される。マウス操作でカーソルを動かして適当な位置で左クリックすると、図２（ｂ）に示すように、画像を左右２つの領域に分割する境界線２が表示され、また色調整用画面が表示される。この色調整用画面は、色調整の指示をユーザが入力するための画面であり、色調整する対象の色と調整後の色とをマウス操作で入力できるように構成されている。この画面から色調整が指示されると、図２（ｃ）に示すように、境界線の右側の領域は、調整対象に指定された色の部分が指定された色に変更されて表示され、境界線の左側の領域は、元の色のままで表示される。マウス１３０が右側の領域を左クリックすることにより、色の変更を認める旨の指示を入力すると、図２（ｄ）に示すように、画面全体が指示された色に基づいて色変換されて表示される。
【００２９】
図２（ｃ）の画面上に表示された境界線は、マウスのドラッグ操作により図３（ａ）のように位置を移動させることができ、境界位置の移動に応じて元の色を表示する領域と変換した色を表示する領域も変化する。また境界線にカーソルを合わせて左クリックすれば、縦向きの境界線を図３（ｂ）のように横向きの境界線にして、元の色の表示領域と変換後の色の表示領域とが上下に表示される。この場合にもマウスのドラッグ操作によって境界位置を変えることができる。
【００３０】
さらに、図４（ａ）又は（ｂ）に示すように、元の色を表示する領域と変換後の色を表示する領域とを入れ替えることもできる。
＜構成＞
では、このような表示態様を実現する構成について以下に説明する。
図５は、プロジェクタ１００の外観図を示す。
【００３１】
プロジェクタ１００は、入力端子として、筐体一側面にマウス１３０が接続されるＵＳＢ接続端子１４、ビデオ入力端子１１、Ｓビデオ入力端子１２、ＲＧＢ／ＹＰｂＰｒ入力端子１３を備え、筐体前面にリモコン１４０の信号を入力するためのリモコン受光部１７０とレンズ１９０を備え、筐体上面には方向キー１２０、決定ボタン１１０を備える。
図６は、プロジェクタ１００の構成を示すブロック図である。
【００３２】
プロジェクタ１００は、発明の主要部として色変換回路４０、オンスクリーン処理回路５０、メインマイコン７０及び外部インターフェース７１を備える。そして色変換回路４０の前段には、入力される各種の映像信号について前処理を行う部分を備え、オンスクリーン処理回路５０の後段には、表示のために映像信号を液晶パネルに展開する処理部分を備える。
【００３３】
以下では、まず前段部分と後段部分の構成について簡単に説明し、後に主要部について説明する。
前段部分の構成は、ビデオ入力端子１１、Ｓビデオ入力端子１２、ＲＧＢ／ＹＰｂＰｒ入力端子１３、カラーデコーダ２２、Ｙ／Ｃ分離回路２３、マトリクス回路２４、Ａ／Ｄコンバータ３０、リサイズ回路３５、入力セレクタ２１、２５、２６から成る。
【００３４】
ビデオ端子１１、Ｓビデオ入力端子１２及びＲＧＢ／ＹＰｂＰｒ入力端子１３はそれぞれ、ＮＴＳＣ方式のコンポジットビデオ信号を入力するための端子、Ｓビデオ信号を入力するための端子、及びＲＧＢ信号又はＹＰｂＰｒ信号を入力するための端子である。これらの端子から入力される信号は、その信号のビデオ信号規格の種類に応じて、カラーデコーダ２２、Ｙ／Ｃ分離回路２３、マトリクス回路２４で処理されてＲＧＢ信号に変換された上で、Ａ／Ｄコンバータ３０に入力される。
【００３５】
カラーデコーダ２２は、Ｙ／Ｃ分離された信号または入力されたＹ／Ｃ信号をＹＰｂＰｒ信号にカラーデコードするためのデコーダである。
Ｙ／Ｃ分離回路２３は、カラーデコーダ２２によって入力されたコンポジットビデオ信号を、Ｙ信号とＣ信号とに分離するための回路である。
マトリクス回路２４は、ＹＰｂＰｒ端子から入力されるＹＰｂＰｒ信号に従来技術である所定の処理を施してＲＧＢ信号を再生する回路である。
【００３６】
Ａ／Ｄコンバータ３０は、入力セレクタ２６によって選択されたアナログ信号を、１０ｂｉｔのデジタル信号へ変換するためのコンバータである。
リサイズ回路３５は、デジタル信号を、ＬＣＤパネル９１〜９３の画素数に応じてリサイズするための回路である。リサイズ回路３５は、リサイズした映像信号を一時的に内部メモリに蓄積し、入力セレクタ２６からの同期信号に同期させながら走査順に色変換回路４０に出力する。また、メインマイコン７０よりフリーズの指示があると、内部メモリの更新を停止し、つまり指示された時に蓄積されている１フレームの映像信号を保持しつづけて、それが次のフレームの映像信号により書きかえられないようにして、その上で、内部メモリに保持されている映像信号を、フレーム周波数に合わせて繰り返し色変換回路４０へ出力する。
【００３７】
後段部分の構成は、デジタル相展開回路８１、８２、８３、パネル駆動ＩＣ９０、ＬＣＤパネル９１、９２、９３から成る。
デジタル相展開回路８１〜８３は、ＬＣＤパネル９１〜９３の駆動ドライバ（不図示）の動作速度を考慮して、色変換回路４０によって色補正されたデジタル信号を相展開するための回路である。
【００３８】
パネル駆動ＩＣ（Ｉｎｔｅｇｒａｔｅｄ  Ｃｉｒｃｕｉｔ）９０は、ＬＣＤパネル９１〜９３を駆動するための回路である。
ＬＣＤパネル９１〜９３は、色変換回路４０によって色補正され、デジタル相展開回路８１〜８３によって相展開されたデジタル信号をカラー表示するためのパネルである。
次に、主要部の構成について説明する。
【００３９】
色変換回路４０は、メインマイコン７０より指示される境界位置に基づいて、リサイズ回路３５より出力される１フレーム分の映像信号が２つの領域のいずれに属するかを特定して、一方の領域の映像信号をそのまま出力し、他方の領域の映像信号をメインマイコン７０より指定されている色に応じて色変換して出力する。
図７は、色変換回路４０の構成を示すブロック図である。
【００４０】
同図において色変換回路４０は、色変換ＬＵＴ（Look Up Table）５２、出力セレクタ５５、取り込み位置制御部５８及び切り替え制御部５６から構成される。
色変換ＬＵＴ５２は、入力され得るすべての色信号の値それぞれと内部メモリの各アドレスとを対応付けており、各アドレスに出力されるべき色信号の値を保持している。そして色変換ＬＵＴ５２は、１つの色信号が入力されると、その色信号に対応するアドレスに保持される色信号を出力する。
【００４１】
各アドレスには、入力される色信号と同じ値の色信号が初期値として保持されており、後に、色調整に伴うメインマイコン７０による書き込み操作によってアドレスの内容が書き換えられる。
切り替え制御部５６は、メインマイコン７０から２分割表示の境界位置の座標が指示されると、その座標を記憶保持し、出力セレクタ５５に適宜切替信号を出力して切替を行わせる。
【００４２】
図８は、切り替え制御部５６の構成を示すブロック図である。
同図において切り替え制御部５６は、主には、ラッチとカウンタとから構成される。
ラッチは、メインマイコン７０から入力される境界位置の座標を保持する。
カウンタは、映像信号の１画素又は１ラインが色変換回路４０に入力されるタイミングをカウントすることにより、２領域の境界を検出し、当該検出時にキャリーアウト、すなわち切替信号を出力セレクタ５５に出力する。
【００４３】
より詳しくは、切り替え制御部５６は、図３（ａ）のように画像を左右に分割する場合と、図３（ｂ）のように画像を上下に分割する場合とで、動作が異なる。
画像を左右に分割する場合、まず、切り替え制御部５６は、メインマイコン７０より左右に分割する旨の指示と境界位置のｘ座標の入力とを受け、そのｘ座標をラッチに保持する。そしてカウンタは、水平同期信号が入力されるたびにカウンタの値をリセットしつつ、入力されるクロックをカウントアップしていく。このクロックは、水平同期信号に基づいてメインマイコン７０により生成されたもの、あるいはリサイズ回路３５が自ら生成したものであり、１クロックが入力される映像信号の１画素のタイミングに相当する。カウンタは、水平同期信号によりリセットした時と、カウントアップされた値がラッチに保持されたｘ座標と同値になった時に、切替信号を出力する。
【００４４】
また、画像を上下に分割する場合、切り替え制御部５６は、メインマイコン７０より上下に分割する旨の指示と境界位置のｙ座標の入力とを受け、そのｙ座標をラッチに保持する。そしてカウンタは、垂直同期信号が入力されるたびにカウンタの値をリセットしつつ、入力される水平同期信号をカウントアップしていく。カウンタは、垂直同期信号によりリセットした時と、カウントアップされた値がラッチに保持されたｙ座標と同値になった時に、切替信号を出力する。
【００４５】
５５は、切り替え制御部５６からの切替信号に従って、リサイズ回路３５から入力される色信号と、色変換ＬＵＴ５２からの色信号とのどちらか一方を、オンスクリーン処理回路５０に出力する。
より具体的に、画像を左右に分割する場合、出力セレクタ５５は、切り替え制御部５６からリセットによる切替信号が入力されると、リサイズ回路３５から入力される色信号をそのまま出力し、ラッチとカウンタの値が同値になったことによる切替信号が入力されると、色変換LUT５２からの色信号を出力する。
【００４６】
また、画像を上下に分割する場合、出力セレクタ５５は、切り替え制御部５６からリセットによる切替信号が入力されると、リサイズ回路３５から入力される色信号をそのまま出力し、ラッチとカウンタの値が同値になったことによる切替信号が入力されると、色変換ＬＵＴ５２からの色信号を出力する。
さらに、マウス操作等により図４（ａ）と（ｂ）のように左右を入れ替える旨の指示がメインマイコン７０よりなされた場合には、出力セレクタ５５は、出力の切替を逆にする。これは上下を入れ替える場合にも同様である。
【００４７】
取り込み位置制御部５８は、メインマイコン７０より指定される座標位置にある色信号の値を、色変換回路４０に入力される信号のうちから取得して、メインマイコン７０に返す。このメインマイコン７０より指定される座標位置とは、すなわち、マウス操作によってユーザから指定される、色調整の対象となる画像部分に相当する。
詳しくは、取り込み位置制御部５８は、水平同期信号カウンタと画素クロックカウンタで構成されており、これらによりメインマイコン７０より指定される座標位置を特定し、特定した位置にある色信号を取得してメインマイコン７０に出力する。
【００４８】
この構成により例えば、左クリックされたとき、その入力を外部インターフェース７１から受けたメインマイコン７０は、カーソル位置を中心とする２０画素四方に含まれる各座標を、取り込み位置制御部５８に通知する。すると、取り込み位置制御部は、その２０画素四方の位置を水平同期信号カウンタ及び画素クロックカウンタによるカウントで特定し、そこに含まれる色信号を取得してメインマイコン７０に出力する。
【００４９】
オンスクリーン処理回路５０は、メインマイコン７０の指示に基づいて、オンスクリーン表示用の画像を生成し、これと色変換回路４０より出力される映像信号の画像とを合成して出力する回路である。オンスクリーン表示用の画像とは、本発明では特に、色調整のための色調整用画像と境界線のことである。
図９は、オンスクリーン処理回路５０によりオンスクリーン表示される色調整用画像と境界線の一例を示す。
【００５０】
同図において、調整色パレット３は、色調整の対象となる色を示すものである。
調整色指定手段４は、色調整の対象となる色の候補を示すものであり、カラーパレット４０１〜４０６は、取り込み位置制御部５８により取得された２０画素四方中の色信号のうち数の多い上位６色を示している。
目標色パレット５は、調整色パレット３に表示された色が変換後にどのような色に変更されるかを示す。
【００５１】
目標色指定手段６は、目標色パレット５に表示される色を調整するためのもので、色を色相、色の濃さ、明るさに分解して、それらを指定スケール６０１、６０２、６０３で示している。
ここで境界線２は、以下のように太さ、明度、彩度で表示される。まず、太さは画面のサイズをＳＸＧＡ（１２８０画素×１０２４画素）とした場合、１％以下の太さであることが望ましい。例えば画面を左右に分割する場合、１２８０画素の１％、すなわち１２画素以下の太さとなる。また彩度については無彩色、明度については可変できることが望ましいが、可変できない場合は白１００％の輝度の２０〜４０％の明るさで表示させることが望ましい。これは、人間の視覚が境界線も画像の１つとして認識して、全体の画像の色の認識に悪影響を及ぼすと考えられるため、できる限り境界線による影響を低減しようとしたものである。
【００５２】
外部インターフェース７１は、各種ユーザ操作部からの入力、すなわち、ＵＳＢ接続端子１４に接続されたマウス１３０からの入力、リモコン受光部１７０に入力されるリモコン１４０からの信号、方向キー１２０、決定ボタン１１０の押下を、メインマイコン７０に伝えるインターフェースである。
メインマイコン７０は、電源制御、ファン制御、温度制御、入力切り換え制御など装置全体のあらゆる制御を行い、また特に、色調整時には外部インターフェース７１を通じて入力されるユーザのマウス操作等に応じて、リサイズ回路３５、色変換回路４０、オンスクリーン処理回路５０等に各種の指示を出して、色調整に関する処理の制御を行う。
【００５３】
以下、メインマイコン７０の色調整に関する処理を列挙する。
（１）メインマイコン７０は、映像の表示中において、マウス１３０が動かされたとき、リモコン１４０の方向キーが押下されたとき、又は方向キー１２０が押下されたときに、それらに応じた信号が外部インターフェース７１より入力されると、オンスクリーン処理回路５０に指示してカーソルを表示させる。
【００５４】
カーソルを表示させるとはつまり、メインマイコン７０が、オンスクリーン処理回路５０に、カーソルの画像と映像信号の画像とを合成する旨の指示と、カーソルを表示すべき位置の位置座標とを伝え、オンスクリーン処理回路がそれに応じてカーソルの画像を、映像信号の画像の位置座標上に合成することである。
（２）このカーソル表示に続いて、カーソル表示中に、マウス１３０の左クリック、リモコン１４０の決定ボタン押下、又は決定ボタン１１０の押下があると、メインマイコン７０は、リサイズ回路３５に画像をフリーズするよう指示する。この指示によりリサイズ回路３５は、次のフレームの映像信号のリサイズを中断して、内部メモリに保持している１フレーム分の映像信号を色変換回路４０に繰り返し出力する。
【００５５】
（３）続いて、メインマイコン７０は、オンスクリーン処理回路５０に指示して境界線を表示させる。より詳しくは、メインマイコン７０は、左クリックまたは決定ボタンが押下されたときのカーソルの位置座標を取得し、その位置座標に基づいてスクリーン１６０に表示されている画像表示面を２つの領域に分割する境界位置を決定する。そして決定された境界位置の位置座標と、境界線をあらわす画像を映像信号の画像に合成する旨の指示とをオンスクリーン処理回路５０に伝える。するとオンスクリーン処理回路は、指示された境界位置の座標に縦向きの境界線を表示する。ここで本実施形態において、メインマイコン７０は、カーソルの位置座標に基づいて、その近傍の位置座標を境界位置と決定するものとする。カーソルの位置座標の近傍の位置座標とは、例えば、カーソルの位置座標から５０画素分左にある位置座標である。
【００５６】
要するにこれは、カーソルの座標位置やその近辺の画像を色調整の対象として、それらが境界線より右側の領域に含まれるようにしている。またカーソルの位置座標と境界線の座標との距離を５０画素程度にして、色調整の対象とする部分と境界線とが離れ過ぎないようにすることで、色調整の対象部分と境界線の左側の元の色で表示されている部分とを、人間が見比べ易いようにしている。
【００５７】
（４）さらに、メインマイコン７０は、オンスクリーン処理回路５０に指示して色調整用画面を表示させる。
より具体的には、メインマイコン７０は、色調整用画面の画像と映像信号の画像とを合成させる旨の指示と、色調整用画面の構成内容についての情報とをオンスクリーン処理回路５０に伝える。
【００５８】
ここで構成内容についての情報とは、色調整用パレット３、調整色指定手段４及び目標色パレット５に表示する色、目標色指定手段６に表示される各スケールのインジケータの位置のことである。
メインマイコン７０は、以下のようにして構成内容についての情報の初期値を決定してオンスクリーン処理回路５０に伝える。
【００５９】
すなわち、メインマイコン７０は、左クリック又は決定ボタンが押下されたとき、カーソル位置を中心とする２０画素四方の色の値、つまり４００画素分の色の値を、取り込み位置制御部５８から取得する。そして、４００画素中の色のうち最も多い色を、調整色パレット３及び目標色パレット５の初期の色とする。また、その初期の色を含めて多い順に６色を、調整食指定手段のカラーパレット４０１〜４０６の各色とする。さらに、調整色パレット３の色を、色相、色の濃さ、明るさに分解した値を計算し、それらの値に応じて目標色指定手段６の指定スケール６０１、６０２、６０３のインジケータの位置を決定する。
【００６０】
（５）メインマイコン７０は、色調整用画面に対してなされたマウス操作等に応じてオンスクリーン処理回路５０に指示し、色調整用画面の構成内容を更新させる。
より詳しくは、マウス操作等によりカラーパレット４０１〜４０６の１つが選択される毎に、オンスクリーン処理回路５０に調整色パレット３の色を選択されたカラーパレットの色に変更するよう指示し、また、目標色指定手段６の指定スケール６０１〜６０３のインジケータが、調整色パレット３の更新された色を示すようにする。
【００６１】
また指定スケール６０１〜６０３のインジケータの位置がマウス操作等に移動されると、移動後のインジケータの位置に応じて色の値を計算し、計算された色を目標色パレット５に表示する。
（６）色調整用画面が表示されている最中に、その画面を除く画像部分にカーソルが置かれた状態で左クリックされると、メインマイコン７０は、色変換回路４０に指示して、境界線より右側の領域を、色調整用画面で指示された色に変換させる。より具体的には、メインマイコン７０は、調整色パレット３の色の値と、目標色パレット５の色の値とを取得し、色変換ＬＵＴ５２における調整色パレット３の色の値に対応するアドレスの部分に、目標色パレット５の色の値を書き込む。そしてさらに、メインマイコン７０は、切り替え制御部５６に境界線の座標を伝え、切替えを行うよう指示する。
【００６２】
これに応じて色変換回路４０は、境界線より左側の映像信号をそのまま出力し、境界線までくるとセレクタ５５を切替えて、境界線より右側の映像信号については、色変換ＬＵＴ５２によって変換された映像信号を出力する。
（７）この境界線右側の映像信号が色変換されて表示されている状態において、色調整用画面を除く画像部分が再度左クリックされると、メインマイコン７０は、色変換回路４０の切り替え制御部５６に指示して、１フレームの映像信号がすべて、色変換ＬＵＴ５２を通って出力されるようにする。
【００６３】
これにより１フレームの画像全体が色変換されて表示される。
＜動作＞
このように構成されたプロジェクタ１００について以下に動作を説明する。
図１１は、プロジェクタ１００の動作を示すフローチャートである。
図１のように画像が表示されている最中にマウス１３０が動かされると、メインマイコン７０は、オンスクリーン処理回路５０に指示して図２（ａ）のようにカーソルを表示させる（ステップＳ１１１）。
【００６４】
メインマイコン７０は、マウス１３０の移動に応じてカーソルが移動されるよう、オンスクリーン処理回路５０にカーソルの表示位置を指示する（ステップＳ１１２）。
マウス１３０が左クリックされると、メインマイコン７０はその時のカーソルの表示位置の座標を取得して、その座標に基づいて境界位置を決定し、境界位置と境界線を生成する指示とをオンスクリーン処理回路５０に伝える。より具体的には、メインマイコン７０は、カーソル表示位置から５０画素分左にある位置のｘ座標を境界位置と決定し、そのｘ座標と、縦向きの境界線を生成する旨の指示とをオンスクリーン処理回路５０に伝える（ステップＳ１１３）。
【００６５】
またこのときメインマイコン７０は、取得したカーソル表示位置の座標を中心とする２０画素四方の各座標を取り込み位置制御部５８に伝え、各座標の色信号を取り込み位置制御部５８から取得する。そして取得された色信号に基づいて色調整用画面の構成内容を決定し、構成内容についての情報をオンスクリーン処理回路５０に伝えて色調整用画面を生成させる。
【００６６】
ステップＳ１１３の処理とほぼ同時に、メインマイコン７０は、リサイズ回路３５に画像をフリーズするよう指示する（ステップＳ１１４）。
これらの指示によりリサイズ回路３５は、内部メモリに記憶された１フレームの画像を繰り返し出力することにより画像をフリーズさせる。またオンスクリーン処理回路５０は、縦向きの境界線と色調整用画面とをリサイズ回路３５からの画像に合成して出力する。その結果図２（ｃ）のような表示になる（ステップＳ１１５）。
【００６７】
色調整用画面に対するマウス１３０の操作に応じて、メインマイコン７０はオンスクリーン処理回路５０に色調整用画面の構成内容を更新させる（ステップＳ１１６）。
色調整用画面以外の画像部分が左クリックされると、メインマイコン７０は、色調整用画面の内容に応じて色変換ＬＵＴ５２の内容を更新し、切り替え制御部５６に切り替え制御を行わせる。その結果、色変換回路４０は、境界線より左側の映像信号をそのまま出力し、境界線までくると出力セレクタ５５を切替えて、境界線より右側の映像信号については、色変換ＬＵＴ５２によって変換された映像信号を出力する（ステップＳ１１７）。
【００６８】
このように２分割表示された状態で、色調整用画面がマウス操作されると、ステップＳ１１６に戻って処理を繰り返す。または、色調整用画面以外の画像が左クリックされると、メインマイコン７０は、色調整の終了とみなして、オンスクリーン処理回路５０に境界線及び色調整用画面の合成を終了させるとともに、切り替え制御部５６に指示して、１フレームの映像信号がすべて、色変換ＬＵＴ５２を通って出力されるようにし、図２（ｄ）のように色変換ＬＵＴ５２の書き換えのあった部分が色変換されて表示される（ステップＳ１１９）。
【００６９】
以上のようにして、本実施形態のプロジェクタ１００は、表示された１つの画像を２つの領域に分割し、一方を元のまま表示し、他方をユーザに指定される色に従って色変換して表示する。このような表示態様であれば、従来の２つの同じ画像を並べて表示する表示態様と比べて、色対比現象の発生を抑えることができ、適確に色を認識して調整することができるという効果がある。
＜その他の実施形態＞
その他、本発明は上記実施形態に限らず、以下のように実施してもよい。
【００７０】
（１）本発明の画像表示装置は、プロジェクタに限らず、プラズマディスプレイ、液晶ディスプレイ、ＣＲＴ等、各種の表示媒体に画像を表示する装置であれば何でも良い。
（２）切り替え制御部５６は、図１２に示すようにカウントダウン方式の構成にしてもよい。すなわち、メインマイコン７０により境界線の座標がラッチに保持されており、水平同期信号が入力されると、カウンタはラッチに保持された値をセットして、カウントダウンを繰り返し（ステップＳ１２２）、カウント値が０になったとき、切り替え信号を出力する（ステップＳ１２４）。
【００７１】
（３）調整色指定手段４は、取り込み位置制御部５８により取得された色を表示するかわりに、例えば、赤、緑、青、黄色、シアン、マゼンタといった、固定の色を表示してもよい。またこれらの色を、色で表す代わりに、例えば、Ｒ、Ｇ、Ｂ、Ｙ、Ｃ、Ｍといった文字で表しても良い。
（４）色調整用画面の、色調整色指定手段４及び目標色指定手段６を、図１０に示すように、ｘ−ｙ色度図で表しても良い。
【００７２】
同図において４３１は、色調整色指定手段４のｘ−ｙ色度図、４３４は、調整対象の色を表す色座標であり、調整色パレット３に表示される色と対応している。ｘ−ｙ色度図の左側と下側には、ｘ座標指定スケール４３３、ｙ座標指定スケール４３２、及び明るさ指定スケール４３７があり、それらのインジケータをマウス操作等で移動させると、それに連動して色座標４３４の座標が変わり、それによって調整対象の色を変えることができる。色座標４３４をマウス操作で直接動かせるようにしてもよい。
【００７３】
また下方にある４３６、４３８はそれぞれ、色座標の値と明るさの値を示し、各スケールのインジケータに連動して値が変化する。この部分に直接、値を入力して色座標を指定できるようにしてもよい。
目標色指定手段６についても同様である。すなわち、６３１は、目標色指定手段６のｘ−ｙ色度図、６３５は、調整後の目標とする色を表す色座標であり、目標色パレット５に表示される色と対応している。ｘ−ｙ色度図の左側と下側には、x座標指定スケール６３３、ｙ座標指定スケール６３２、及び明るさ指定スケール６３７があり、それらのインジケータをマウス操作等で移動させると、それに連動して色座標６３５の座標が変わり、それによって調整後の色を変えることができる。色座標６３５をマウス操作で直接動かせるようにしてもよい。
【００７４】
また下方にある６３６、６３８はそれぞれ、色座標の値と明るさの値を示し、各スケールのインジケータに連動して値が変化する。この部分に直接、値を入力して色座標を指定できるようにしてもよい。
（５）上記（４）の調整色指定手段４の構成要素のうち、いずれかの構成要素を取り除いて構成してもよい。例えば４３６、４３８を除いて構成してもよいし、あるいは、ｘ−ｙ色度図を除いて各種スケールのみで構成してもよい。
【００７５】
目標色指定手段６についても同様である。
（６）図９と図１０の色調整用画面の構成内容を組み合わせて実施してもよい。
（７）色変換回路４０の構成を図１３のようにしてもよい。
同図は、図７のブロック図に色変換ＬＵＴ５１を加えたものである。
色変換ＬＵＴ５１は、入力される色信号のアドレスに、ＬＣＤパネル９１〜９３の電圧、透過率等の特性に応じた、忠実な色再現を行うことのできる色信号を予め保持している。色変換ＬＵＴ５２は、最初は、色変換ＬＵＴ５１と同じ内容を初期値として保持し、その後、メインマイコン７０によって内容が更新される。
【００７６】
その他の構成は、図７と同じである。
この構成により、色調整前の状態においては、色変換ＬＵＴ５１により変換された色信号を出力し、その後、色調整が行われて画面が２分割されると、色変換ＬＵＴ５１の信号と色変換ＬＵＴ５２の信号とを交互に切り替えて出力する。
（８）図１３の構成において、メインマイコン７０は、色変換ＬＵＴ５１と色変換ＬＵＴ５２とに対して、色信号の更新を交互に行うようにしてもよい。具体的には、メインマイコン７０は、最初の色調整による色信号の更新を、色変換ＬＵＴ５２に対して行い、次の色調整による色信号の更新を色変換ＬＵＴ５１に対して行い、その次の色調整による色信号の更新を色変換ＬＵＴ５２に対して行う、というように、色調整がある度に交互に更新する。
【００７７】
この構成により色調整後の画像に対してさらに色調整を行うことが可能になる。
（９）また図１３に示すように、メインマイコン７０は、メモリ５３に色変換ＬＵＴ５１、５２の更新の履歴を記録し、マウス操作等により色変換ＬＵＴ５１、５２の内容を、過去の履歴に戻す旨の操作に応じてメモリ５３から履歴を読み出して、それを色変換ＬＵＴ５１、５２に書き込む。こうすることで、画像の色を過去の状態に戻すことができる。
【００７８】
（１０）図７において、色変換ＬＵＴ５２の代わりに演算部を備えるようにしてもよい。
演算部は、色信号のＲＧＢ値について３×３のマトリクス演算を行う回路と、マトリクス演算された信号のゲインをアンプする回路とからなり、マトリクス係数やゲイン係数はメインマイコン７０により設定される。マトリクス係数は、色調整用画面により指定された目標の色信号を近似する値となっている。
【００７９】
（１１）色変換ＬＵＴ５２は、８×８×８ビットでもよいし、メモリ容量を少なくするために５×５×５ビットにして、残りのビットを補間回路により補間演算するよう構成してもよい。
（１２）図６、７、８及び１３に示す各構成要素の処理をコンピュータが実行可能なプログラムで実現してもよい。
【００８０】
（１３）カーソル表示、境界線表示において、オンスクリーン処理回路５０が画像を表示、合成をしているが、色変換回路４０内で取り込み位置に対応したカーソル表示やメインマイコン７０からの制御により境界線を表示させ合成してもよい。
（１４）色変換回路４０においては、切り替え制御部５６及び出力セレクタ５５を色変換ＬＵＴの後段に配置しているが、出力セレクタ５５の代わりに入力セレクタを用いて、色変換ＬＵＴの前段に配置してもよい。つまり、入力セレクタは、リサイズ回路３５から色信号が入力されると、切り替え制御部５６の切替信号に応じて、色信号をそのままオンスクリーン処理回路５０へ出力するか、または、色変換ＬＵＴ５２へ入力するかを切り替える。そして色変換ＬＵＴ５２は、入力セレクタにより入力された色信号のみを色変換してオンスクリーン処理回路５０へ出力する。
【産業上の利用可能性】
【００８１】
プロジェクタ、テレビ、ＤＶＤプレーヤー、パソコン等、表示部に画像を表示する装置に用いることができる。
【図面の簡単な説明】
【００８２】
【図１】本発明の一実施形態であるプロジェクタの利用形態を示す図である。
【図２】色調整の際の表示態様の一例を示す。
【図３】境界線のバリエーションを示す図である。
【図４】境界線のその他のバリエーションを示す図である。
【図５】プロジェクタ１００の外観図を示す。
【図６】プロジェクタ１００の構成を示すブロック図である。
【図７】色変換回路４０の構成を示すブロック図である。
【図８】切り替え制御部５６の構成を示すブロック図である。
【図９】オンスクリーン処理回路５０によりオンスクリーン表示される色調整用画像と境界線の一例を示す。
【図１０】色調整色指定手段４及び目標色指定手段６のバリエーションを表す図である。
【図１１】プロジェクタ１００の動作を示すフローチャートである。
【図１２】切り替え制御部５６のバリエーションを示すフローチャートである。
【図１３】色変換回路４０のバリエーションを示すブロック図である。
【符号の説明】
【００８３】
１１    ビデオ入力端子
１２    Ｓビデオ入力端子
１３    ＲＧＢ／ＹＰｂＰｒ入力端子
１４    ＵＳＢ接続端子
２１、２５、２６    入力セレクタ
２２    カラーデコーダ
２３    Ｙ／Ｃ分離回路
２４    マトリクス回路
３０    Ａ／Ｄコンバータ
３５    リサイズ回路
４０    色変換回路
５０    オンスクリーン処理回路
５１    色変換ＬＵＴ
５２    色変換ＬＵＴ
５３    メモリ
５５    出力セレクタ
５６    切り替え制御部
５８    取り込み位置制御部
６０    オンスクリーン処理回路
７０    メインマイコン
７１    外部インターフェース
８１〜８３  デジタル相展開回路
９０    パネル駆動ＩＣ
９１〜９３  ＬＣＤパネル
１００    プロジェクタ
【図１】
2005045769.tif 000003
【図２】
2005045769.tif 000004
【図３】
2005045769.tif 000005
【図４】
2005045769.tif 000006
【図５】
2005045769.tif 000007
【図６】
2005045769.tif 000008
【図７】
2005045769.tif 000009
【図８】
2005045769.tif 000010
【図９】
2005045769.tif 000011
【図１０】
2005045769.tif 000012
【図１１】
2005045769.tif 000013
【図１２】
2005045769.tif 000014
【図１３】
2005045769.tif 000015